【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
ａ．少なくとも１つのサンプルを取得するステップと、  
ｂ．該少なくとも１つのサンプルに対して生化学試験手順を選択するステップと、  
ｃ．該生化学試験手順に消費可能に応答する少なくとも１つの消費可能生化学プロセス要素を確立するステップと、  
ｄ．該消費可能生化学プロセス要素に関連する少なくとも１つの消費可能生化学プロセス可変情報メモリ要素を確立するステップと、  
ｅ．該消費可能生化学プロセス可変情報メモリ要素をサンプル処理システムに取り外し可能に電気的に接続するステップと、  
ｆ．該消費可能生化学プロセス可変情報メモリ要素にクエリを行うステップと、  
ｇ．該少なくとも１つのサンプルの外部サンプル領域の少なくとも一部を該生化学試験手順に対する適切な物質に曝露するステップと、  
ｈ．該生化学試験手順を自動的に処理するステップと、  
ｉ．該生化学試験手順を自動的に処理する該ステップにおいて行われる作用の結果として、該消費可能生化学プロセス可変情報メモリ要素上の少なくともいくつかの情報を変更するステップと、  
ｊ．該生化学試験手順を介して所望の結果を達成するステップと
を含む生化学処理方法。  
【請求項２】
少なくとも１つのソースを前記サンプル処理システム内に取り付けるステップをさらに含む、請求項１に記載の生化学処理方法。
【請求項３】
前記少なくとも１つのソースを取り付けるステップは、
一次抗体物質と、  
二次抗体物質と、  
色原体物質と、  
対比染色物質と、  
緩衝物質と
から成る群から選択される物質を有する少なくとも１つのソースを取り付けるステップを含む、請求項２に記載の生化学処理方法。
【請求項４】
前記少なくとも１つのソースを取り付けるステップは、少なくとも２つのソースを取り付けるステップを含む、請求項３に記載の生化学処理方法。
【請求項５】
前記少なくとも２つのソースを取り付けるステップは、  
ａ．一次抗体物質カートリッジを取り付けるステップと、  
ｂ．リニア複数試薬マガジンを取り付けるステップと
を含む、請求項４に記載の生化学処理方法。
【請求項６】
前記少なくとも１つのソースを取り付けるステップは、少なくとも１つの位置特定関連物質使用サイズのソースを利用するステップを含む、請求項２に記載の生化学処理方法。
【請求項７】
複数のチェンバおよび複数の流体物質マガジンを備える単一コンテナを前記自動サンプル処理システム内に設置するステップをさらに含む、請求項１に記載の生化学処理方法。
【請求項８】
複数のチェンバおよび複数の流体物質マガジンを備える単一コンテナを前記自動サンプル処理システム内に設置する前記ステップは、少なくとも２つの物質マガジンを該自動サンプル処理システム内に設置するステップを含む、請求項７に記載の生化学処理方法。
【請求項９】
複数のチェンバおよび複数の流体物質マガジンを備える単一コンテナを前記自動サンプル処理システム内に設置するステップは、  
ａ．少なくとも１つの位置特定単一物質ソースを利用するステップと、  
ｂ．少なくとも１つの位置特定複数物質ソースを利用するステップと
を含む、請求項８に記載の生化学処理方法。
【請求項１０】
少なくとも１つの位置特定単一物質ソースを利用する前記ステップは、少なくとも１つの位置特定抗体物質ソースカートリッジを利用するステップを含み、少なくとも１つの位置特定複数物質ソースを利用する該ステップは、前記生化学試験手順のうちの少なくとも１つに対する少なくとも１つの機能的関連のある複数物質ソースマガジンを利用するステップを含む、請求項９に記載の生化学処理方法。
【請求項１１】
複数のチェンバおよび複数の流体物質マガジンを備える単一コンテナを設置する前記ステップは、少なくとも１つの機能的に関連のある複数物質ソースマガジンを利用するステップを含む、請求項７に記載の生化学処理方法。
【請求項１２】
複数のチェンバおよび複数の流体物質マガジンを備える単一コンテナを設置する前記ステップは、
一次抗体物質と、  
二次抗体物質と、  
色原体物質と、  
対比染色物質と、  
緩衝物質と
から成る群から選択される物質を有する少なくとも１つの位置特定複数物質ソースを利用するステップを含む、請求項７に記載の生化学処理方法。
【請求項１３】
複数のチェンバおよび複数の流体物質マガジンを備える単一コンテナを設置する前記ステップは、少なくとも１つの位置特定関連物質使用サイズのソースを利用するステップを含む、請求項７に記載の生化学処理方法。  
【請求項１４】
複数のチェンバおよび複数の流体物質マガジンを備える単一コンテナを設置する前記ステップは、少なくとも１つの直線状に配置された複数ソースを利用するステップを含む、請求項７に記載の生化学処理方法。
【請求項１５】
前記消費可能生化学プロセス可変情報メモリ要素にクエリを行う前記ステップは、前記消費可能生化学プロセス要素に付属する電気的消去可能およびプログラム可能メモリ要素にクエリを行うステップを含み、前記生化学試験手順を自動的に処理する前記ステップにおいて行われる作用の結果として、該消費可能生化学プロセス可変情報メモリ要素上の少なくともいくつかの情報を変更する前記ステップは、該消費可能生化学プロセス要素に付属する該電気的消去可能およびプログラム可能メモリ要素上の少なくともいくつかの情報を変更するステップを含む、請求項１に記載の生化学処理方法。
【請求項１６】
前記消費可能生化学プロセス可変情報メモリ要素にクエリを行う前記ステップは、複数のチェンバおよび複数の流体物質マガジンを備える単一コンテナに付属する電気的消去可能およびプログラム可能メモリ要素にクエリを行うステップを含み、前記生化学試験手順を自動的に処理する前記ステップにおいて行われる作用の結果として、該消費可能生化学プロセス可変情報メモリ要素上の少なくともいくつかの情報を変更する前記ステップは、複数のチェンバおよび複数の流体物質マガジンを備える単一コンテナに付属する該電気的消去可能およびプログラム可能メモリ要素上の少なくともいくつかの情報を変更するステップを含む、請求項１５に記載の生化学処理方法。  
【請求項１７】
少なくとも１つの消費可能生化学プロセス要素を確立する前記ステップは、少なくとも１つの物質回収消費可能生化学プロセス要素を確立するステップを含む、請求項１に記載の生化学処理方法。  
【請求項１８】
少なくとも１つの物質回収消費可能生化学プロセス要素を確立する前記ステップは、吸収材料を閉じ込め囲いの中に入れるステップを含む、請求項１７に記載の生化学処理方法。  
【請求項１９】
前記生化学試験手順の一部として吸収材料の未使用部分を露出位置に設置するよう前記吸収材料を自動的に配列するステップをさらに含む、請求項１８に記載の生化学処理方法。  
【請求項２０】
前記消費可能生化学プロセス可変情報メモリ要素にクエリを行う前記ステップは、閉じ込め囲いに付属する電気的消去可能およびプログラム可能メモリ要素にクエリを行うステップを含み、前記生化学試験手順を自動的に処理する前記ステップにおいて行われる作用の結果として、該消費可能生化学プロセス可変情報メモリ要素上の少なくともいくつかの情報を変更する前記ステップは、該閉じ込め囲いに付属する該電気的消去可能およびプログラム可能メモリ要素上の少なくともいくつかの情報を変更するステップを含む、請求項１５に記載の生化学処理方法。  
【請求項２１】
前記一対のサンプルを近接して対になった硬質サンプル表面に設置するステップをさらに含む、請求項１に記載の生化学処理方法。  
【請求項２２】
前記少なくとも１つのサンプルを顕微鏡スライドガラスに設置するステップをさらに含む、請求項１に記載の生化学処理方法。  
【請求項２３】
前記少なくとも１つのサンプルを顕微鏡スライドガラスに設置する前記ステップは、少なくとも一対の対向する顕微鏡スライドガラスを設置するステップを含む、請求項２２に記載の生化学処理方法。
【請求項２４】
前記サンプルの直近から流体環境を実質的に除去するステップをさらに含む、請求項１に記載の生化学処理方法。
【請求項２５】
前記サンプルの直近から流体環境を実質的に除去するステップは、該サンプルの近くにある該流体環境を流体的に除去するステップを含む、請求項２４に記載の生化学処理方法。
【請求項２６】
前記サンプルの直近から流体環境を除去するステップは、  
約３００μｌ以下の流体を動かすステップと、  
約２２５μｌ以下の流体を動かすステップと、  
約２００μｌ以下の流体を動かすステップと、  
最小量の前記物質を動かすステップと、  
最小量の前記流体を動かすステップと、  
微小環境の最適な補充を可能にする最小量の該物質を動かすステップと、  
微小環境の最適な補充を可能にする最小量の流体を動かすステップと、  
選択された処理時間内に該サンプルと該物質との間の最適な相互作用を可能にする最小量の該物質を動かすステップと、  
選択された処理時間内に該サンプルと該物質との間の最適な相互作用を可能にする最小量の流体を動かすステップと
から成る群から選択されるステップを含む、請求項２５に記載の生化学処理方法。  
【請求項２７】
サンプルを取得するステップは、  
生体サンプルを取得するステップと、  
細胞サンプルを取得するステップと、  
組織サンプルを取得するステップと
から成る群から選択されるサンプルを取得するステップを含む、請求項１に記載の生化学処理方法。
【請求項２８】
前記サンプルを物質に曝露する前記ステップは、該サンプルと該物質との間に化学的相互作用を生じさせるステップを含む、請求項１に記載の生化学処理方法。
【請求項２９】
手術室時間制約環境において自動的に行われるよう前記プロセスを構成するステップと、  
治療時間制約環境において自動的に行われるよう前記プロセスを構成するステップと、
手術時間制約環境において自動的に行われるよう前記プロセスを構成するステップと
から成る群から選択されるステップをさらに含む、請求項１に記載の生化学処理方法。
【請求項３０】
サンプルを取得する前記ステップは、  
癌腫関連サンプルを取得するステップと、  
黒色腫関連サンプルを取得するステップと、  
リンパ腫関連サンプルを取得するステップと、  
辺縁検査関連サンプルを取得するステップと
から成る群から選択されるステップを含む、請求項１に記載の生体処理方法。
【請求項３１】
サンプルを取得する前記ステップは、  
上皮細胞サンプルを取得するステップと、  
リンパ節サンプルを取得するステップと、  
未分化腫瘍細胞サンプルを取得するステップと、  
小児細胞サンプルを取得するステップと、  
モースマッピング細胞サンプルを取得するステップと、  
ヘリコバクター・ピロリ細胞サンプルを取得するステップと、  
絨毛膜組織細胞サンプルを取得するステップと、  
新生児ヘルペス細胞サンプルを取得するステップと、  
プロテオミクスサンプルを取得するステップと
から成る群から選択されるステップを含む、請求項１に記載の生化学処理方法。
【請求項３２】
サンプルを取得する前記ステップは、
該サンプル内のリンパ節指示物質の存在の検出表示を提供するステップと、  
該サンプル内の移植手技指示物質の存在の検出表示を提供するステップと、  
該サンプル内の腫瘍分化指示物質の存在の検出表示を提供するステップと、  
該サンプル内の小児病理指示物質の存在の検出表示を提供するステップと、  
該サンプル内の小児非病理指示物質の存在の検出表示を提供するステップと、  
該サンプル内の病理指示物質の存在の検出表示を提供するステップと、  
該サンプル内の非病理指示物質の存在の検出表示を提供するステップと、  
該サンプル内のモースマッピング指示物質の存在の検出表示を提供するステップと、  
該サンプル内の辺縁指示物質の存在の検出表示を提供するステップと、  
該サンプル内のヘリコバクター・ピロリ診断指示物質の存在の検出表示を提供するステップと、  
該サンプル内の治療マーカー指示物質の存在の検出表示を提供するステップと、  
該サンプル内の絨毛膜組織指示物質の存在の検出表示を提供するステップと、  
該サンプル内の小児ヘルペス物質の存在の検出表示を提供するステップと
から成る群から選択されるステップを含む、請求項１に記載の生化学処理方法。
【請求項３３】
ａ．サンプルプロセスシステム内に構成された少なくとも１つのサンプルホルダーと、
ｂ．生化学試験手順を自動的に行うよう構成された自動的に配列された生化学試験プロセッサと、  
ｃ．該自動的に配列された生化学試験プロセッサに消費可能に応答する、少なくとも１つの消費可能生化学プロセス要素と、  
ｄ．該消費可能生化学プロセス要素に関連する少なくとも１つの消費可能生化学プロセス可変情報メモリ要素と、  
ｅ．該消費可能生化学プロセス可変情報メモリ要素との電気的接続を確立する、消費可能生化学プロセス可変情報メモリ要素の取り外し可能電気的接続と、  
ｆ．該消費可能生化学プロセス可変情報メモリ要素の取り外し可能電気的接続を介して該消費可能生化学プロセス可変情報要素に応答する、消費可能情報クエリ要素と、  
ｇ．該消費可能生化学プロセス可変情報メモリ要素が、該消費可能生化学プロセス可変情報メモリ要素の取り外し可能電気的接続を介して変更可能に応答する、消費可能情報変更要素と
を備える自動生化学サンプルプロセッサ。  
【請求項３４】
取り付け固定可能位置特定物質ソースをさらに備える、請求項３３に記載の自動生化学サンプルプロセッサ。
【請求項３５】
前記サンプルホルダーの近くに設置された複数のチェンバおよび複数の流体物質マガジンを備える単一コンテナをさらに備える、請求項３３に記載の自動生化学サンプルプロセッサ。  
【請求項３６】
前記消費可能生化学プロセス可変情報メモリ要素は、前記消費可能生化学プロセス要素に付属する電気的消去可能およびプログラム可能メモリ要素を備える、請求項３３に記載の自動生化学サンプルプロセッサ。  
【請求項３７】
前記消費可能生化学プロセス可変情報メモリ要素は、前記流体物質コンテナに付属する流体物質コンテナの電気的消去可能およびプログラム可能メモリ要素を備える、請求項３６に記載の自動生化学サンプルプロセッサ。  
【請求項３８】
前記消費可能生化学プロセス要素は物質回収消費可能生化学プロセス要素を備える、請求項３３に記載の自動生化学サンプルプロセッサ。  
【請求項３９】
前記サンプルが応答する一対の硬質表面をさらに備える、請求項３３に記載の自動生化学サンプルプロセッサ。  
【請求項４０】
前記物質ソースに応答する物質適用要素をさらに備える、請求項３３に記載の自動生化学サンプルプロセッサ。  
【請求項４１】
前記物質適用要素は毛管作用物質適用要素を備える、請求項４０に記載の自動生化学サンプルプロセッサ。  
【請求項４２】
プロセスの少なくとも一部を完了した時に、前記物質を回収するよう構成された物質回収要素をさらに備える、請求項３３に記載の自動生化学サンプルプロセッサ。  
【請求項４３】
前記物質回収要素は毛管作用物質回収要素を備える、請求項４２に記載の自動生化学サンプルプロセッサ。
【請求項４４】
前記毛管作用物質回収要素はウィッキング要素を備える、請求項４３に記載の自動生化学サンプルプロセッサ。  
【請求項４５】
前記物質回収要素は、  
サンプル配向要素と、  
表面配向要素と、  
傾斜表面配向要素と、  
非傾斜表面配向要素と、  
表面を少なくとも約２２．５°で設置するよう構成された傾斜表面配向要素と、  
表面を少なくとも約３０°で設置するよう構成された傾斜表面配向要素と、  
表面を少なくとも約４５°で設置するよう構成された傾斜表面配向要素と、  
表面を少なくとも約６０°で設置するよう構成された傾斜表面配向要素と、  
表面を少なくとも約６７．５°で設置するよう構成された傾斜表面配向要素と、  
傾斜二等分角を２つの表面間に確立するよう構成された傾斜表面配向要素と、  
傾斜二等分角を２つの表面間に少なくとも約２２．５°で確立するよう構成された傾斜表面配向要素と、  
傾斜二等分角を２つの表面間に少なくとも約４５°で確立するよう構成された傾斜表面配向要素と、  
傾斜二等分角を２つの表面間に少なくとも約９０°で確立するよう構成された傾斜表面配向要素と
から成る群から選択される、請求項４４に記載の自動生化学サンプルプロセッサ。  
【請求項４６】
前記物質ソースは、  
ａ．一次抗体物質ソースと、  
ｂ．二次抗体物質ソースと、  
ｃ．色原体物質ソースと
を備える、請求項３３に記載の自動生化学サンプルプロセッサ。
【請求項４７】
前記サンプルホルダーは薄い生体サンプルホルダーを備える、請求項３３に記載の自動生化学サンプルプロセッサ。  
【請求項４８】
前記サンプルプロセッサは、  
手術室時間制約環境において自動的に行われるプロセスを完了するよう構成されたサンプルプロセッサと、  
治療時間制約環境において自動的に行われるプロセスを完了するよう構成されたサンプルプロセッサと、  
手術時間制約環境において自動的に行われるプロセスを完了するよう構成されたサンプルプロセッサと
から成る群から選択される、請求項３３に記載の自動生化学サンプルプロセッサ。